(57)【要約】 【課題】  この発明は、横部材と竪部材との室外側の見付寸法を小さくして意匠性を高くした複層ガラスの枠体への組付け構造を提供するものである。【解決手段】  縦、横枠５〜８の室外側シール材保持片１６のかかり代Ｃ１を室内側シール材保持片１４のかかり代Ｃ２より小さくし、また、室外側シール材保持片１６を積層ガラス２のスペーサー１２の枠体開口内側面１２ａが枠体開口３ａの内側に位置するようにする。室外側シール材保持片１６に設けた複層ガラス２を保持するビード９の遮光片２１をスペーサー１２より枠体開口３ａの内側に位置させる。これにより、ビード９によってスペーサー１２への太陽光線が遮られ、縦、横枠５〜８の見付寸法Ｌ２，Ｌ３を小さくすることができる。【選択図】  図３
2007120243.tif 000002
【特許請求の範囲】
【請求項１】
複数枚の単板ガラスをその周縁部にスペーサーを介して積層した複層ガラスを上下の横部材と左右の竪部材とを枠組みした枠体にシール材を介して組付けてなる窓において、横部材と竪部材の室内側シール材保持片と対向する室外側シール材保持片のかかり代を室内側シール材保持片のかかり代より小さくし、スペーサーに対向し、室外側の単板ガラスに密着するシール材を室外側シール材保持片に設けたことを特徴とする複層ガラスの枠体への組付け構造。
【請求項２】
複数枚の単板ガラスをその周縁部にスペーサーを介して積層した複層ガラスを横部材と竪部材とを組付けた枠体にシール材により組付けてなる窓を複数隣接して連窓または段窓にしてあることを特徴とする請求項１記載の複層ガラスの枠体への組付け構造。
【請求項３】
上下方向に間隔をあけて設けた複数の横部材と、左右方向に間隔をあけて設けた複数の竪部材とを組付けて枠体を構成し、複数枚の単板ガラスをその周縁部にスペーサーを介して積層した複層ガラスを前記枠体にシール材により組付けてなるカーテンウォールの窓であることを特徴とする請求項１記載の積層ガラスの枠体への組付け構造。
【請求項４】
横部材と竪部材は、基壁の室内側端に室内側シール材保持片を一体に形成し、基壁の室外側端に設けた取付部に室外側シール材保持片を取付けて成り、室外側シール材保持片は枠体開口の中心に向くシール材取付溝を備えていることを特徴とする請求項１から３何れか１項記載の複層ガラスの枠体への組付け構造。
【発明の詳細な説明】
【技術分野】
【０００１】
この発明は、横部材と竪部材とを組付けた枠体にシール材を介して複層ガラスを組付けた複層ガラスの枠体への組付け構造に関する。
【背景技術】
【０００２】
従来の複層ガラスの枠体への組付け構造として特許文献１に記載のものがある。このものでは、窓枠（枠体）の取付け溝に複層ガラスの屋外側の単板ガラスをその外周縁を先付けビードと後付けビードを介して嵌装し、複層ガラスの屋内側の単板ガラスをその外周端と窓枠の開口側面との間にスペーサーを介装し、窓枠と複層ガラスを組付けている。そして複層ガラスに介在したスペーサー（封着材）の太陽光線による劣化を防止するために、室外側の単板ガラスのスペーサーの対応部位に保護用皮膜を設けている。
【０００３】
また、特許文献２に記載のものがある。これは、複数の無目（横部材）と方立（竪部材）とで仕切られた開口部分にパネルとしてのガラス面材を嵌め込んで構成したカーテンウォールであり、ガラス面材としての複層ガラスの上下の横の外周縁が無目に設けたビードと押縁に設けたビードにより保持され、複層ガラスの左右の鉛直な外周縁は方立に押縁を介して保持されず、複層ガラスの室外側面の左右の縦の外周縁には押縁が存在しないことで、隣り合う複層ガラス間の縦目地を細く即ち見付寸法を小さくして意匠性を向上させている。
【０００４】
【特許文献１】特開平８−９３３４０号公報
【特許文献２】特開２０００−３８７９３号公報
【発明の開示】
【発明が解決しようとする課題】
【０００５】
前記特許文献１に記載のものでは、スペーサーが枠体の外に位置するため、複層ガラスの室外側のスペーサー対応部位に保護用皮膜を設けることで、枠体に覆われていないスペーサーが太陽光線に晒されることによって紫外線により劣化するのを防ぐようにしているが、スペーサーは室内側には晒された状態であるため、室内側からスペーサーが劣化する恐れがある。また、単板ガラスの枠体に複層ガラスを嵌合するために室外側の単板ガラスの外周縁を室内側の単板ガラスの外周縁より大きくして室外側のみの単板ガラスの外周縁を枠体に嵌め込んでいるので、外周縁が同一の大きさの単板ガラスから成る複層ガラスとは異なる特殊な複層ガラスを要すると共に、枠体に対する複層ガラスの保持力が弱くなり、耐風圧性能が低くなる問題がある。また、特許文献２に記載のものでは、複層ガラスの左右の鉛直な外周縁が方立に保持されておらず、複層ガラスの左右の鉛直な外周縁の室外側面を覆うものがないので、複層ガラスの左右の鉛直な外周縁に設けられたスペーサーが太陽光線に晒されることになり、紫外線により劣化する問題がある。また、複層ガラスの上、下の水平な外周縁が無目と押縁間で保持されているので、方立に対して無目の見付寸法が大きく意匠性が低下する問題があある。しかも、複層ガラスの左右の鉛直な外周縁は方立に保持されていないので、負圧が作用した際に複層ガラスの鉛直な外周縁を受けるものがなく、鉛直な外周縁の耐風圧性能が低い問題がある。
この発明は、横部材と竪部材の室外側のかかり代を小さくすることで横部材と竪部材との室外側の見付寸法を小さくして意匠性を高くすると共に、意匠性を高くしても耐風圧性能を維持できる複層ガラスの枠体への組付け構造を提供するものである。
【課題を解決するための手段】
【０００６】
本発明は、複数枚の単板ガラスをその周縁部にスペーサーを介して積層した複層ガラスを上下の横部材と左右の竪部材とを枠組みした枠体にシール材を介して組付けてなる窓において、横部材と竪部材の室内側シール材保持片と対向する室外側シール材保持片のかかり代を室内側シール材保持片のかかり代より小さくし、スペーサーに対向し、室外側の単板ガラスに密着するシール材を室外側シール材保持片に設けたことを特徴とする。
【０００７】
また、複数枚の単板ガラスをその周縁部にスペーサーを介して積層した複層ガラスを横部材と竪部材とを組付けた枠体にシール材により組付けてなる窓を複数隣接して連窓または段窓にしてあることを特徴とする。
【０００８】
また、上下方向に間隔をあけて設けた複数の横部材と、左右方向に間隔をあけて設けた複数の竪部材とを組付けて枠体を構成し、複数枚の単板ガラスをその周縁部にスペーサーを介して積層した複層ガラスを前記枠体にシール材により組付けてなるカーテンウォールの窓であることを特徴とする。
【０００９】
また、前記横部材と竪部材は、基壁の室内側端に室内側シール材保持片を一体に形成し、基壁の室外側端に設けた取付部に室外側シール材保持片を取付けて成り、室外側シール材保持片は枠体開口の中心に向くシール材取付溝を備えていることを特徴とする。
【発明の効果】
【００１０】
本願の発明によれば、横部材と竪部材の室外側の室外側シール材保持片のかかり代を小さくし、スペーサーに対向し、室外側の単板ガラスに密着するシール材を室外側シール材保持片に設けたので、横部材と竪部材の見付寸法が小さくなり意匠性を向上でき、また、スペーサーの太陽光線に晒される室外側はシール材により覆われ、室内側は横部材と竪部材の室内側シール材保持片で覆われるので、スペーサーの紫外線による劣化を防ぐ効果がある。また、横部材と竪部材の室外側の見付寸法を小さくしたが、横部材と竪部材はかかり代を有して複層ガラスを保持しているので、負圧が作用しても横部材と竪部材の複層ガラスを保持する耐風圧性能を維持できる効果がある。また、複層ガラスを保持する室外側のシール材によってスペーサーを覆えば別に保護用皮膜を設ける必要もない。
【発明を実施するための最良の形態】
【００１１】
本願発明の実施の形態について図１〜図３により説明する。図１は本願発明の連窓１における複層ガラス２の枠体３への組付け構造を示す正面図である。連窓１は複数の窓４を隣接して構成されている。窓４は、上下の横部材５，６と左右の竪部材７，８とを枠組みした枠体３に複層ガラス２をシール材９，１０を介して組付けて構成された嵌め殺し窓である。複層ガラス２は複数の単板ガラス１１をその周縁部にシリコンから成るスペーサー１２を介して積層したものであり、本願実施の形態では、図２、図３に示すように、２枚の単板ガラス１１，１１の周縁部の間にスペーサー１２を配設して成る。
【００１２】
前記枠体３を構成する横部材としての下横枠６は、基壁１３の室内側端に室内側シール材保持片１４が一体に形成されている。また、下横枠６は、室外側端に取付部１５を一体に形成し、取付部１５に室外側シール材保持片１６を取付けて構成されている。この室外側シール材保持片１６のかかり代Ｃ１は室内側シール材保持片１４のかかり代Ｃ２より小さくなっている。また、室内側シール材保持片１４の上面（開口内側面）は枠体３に複層ガラス２を組付けた際に、スペーサー１２の枠体開口内側面１２ａより枠体開口３ａの内側（中心側）に位置するようになっている。また、室外側シール材保持片１６は押縁であり、押縁１６は、下横枠６に取付けられた際に複層ガラス２の室外側の周縁部２ａを保持し負圧が複層ガラス２に作用したとしても耐風圧性能を維持できる程度のかかり代Ｃ１を有しており、本実施の形態では、スペーサー１２の枠体開口内側面１２ａが押縁１６より枠体開口３ａの中心側に位置している。押縁１６は全長にわたって枠体開口３ａの中心に向くシール材取付溝１７が形成されており、シール材としてのビード９が嵌合されている。また、横部材としての上横枠５は、下横枠６と略同様に形成されているが、本願実施の形態では押縁１６が基壁１３の室外側端に一体に形成されている。また、枠体３を構成する左右の竪部材としての左，右竪枠７，８も、下横枠６と略同様に構成されており、竪枠７，８の枠体開口外側面７ａ，８ａには、係止片１８が一体に形成されている。ビード９は、シール材取付溝１７に嵌合する嵌合片１９と複層ガラス２を支持する支持片２０と遮光片２１を備えており、ビード９は各横枠５，６と竪枠７，８の色とは異なる色となっている。
【００１３】
これら上、下横枠５，６と左、右竪枠７，８とを枠組みした枠体３への複層ガラス２の組付けは、複層ガラス２と押縁１６間に配置されたビード９の支持片２０を複層ガラス２の室外側の周縁部２ａに密着し、シーリング材１０を複層ガラス２の室内側の周縁部２ｂと室内側シール材保持片１４間に充填して行われ、窓４が構成される。この枠体３に複層ガラス２を組付けた状態で、ビード９の遮光片２１の先端面２１ａはスペーサー１２の枠体開口内側面１２ａより枠体開口３ａの中心側に位置する。
【００１４】
複数の窓４は、隣接する窓４の竪枠７，８の係止片１８が連窓目板２２の被係止部２３に係合されると共に連窓目板２２の左右の連結部２４と隣り合う窓４の竪枠７，８の室内側シール材保持片１４がビス止めされて一体となり、連窓１を構成している。尚、１０ｂは隣接する窓４の縦枠７，８間に充填したシーリング材である。この連窓１は、建物の躯体開口に取付けられた状態で、上下の横枠５，６の室外側の見付寸法Ｌ２と隣接する窓４の左右の竪枠７，８間の室外側の見付寸法Ｌ３がほぼ同一とされ、しかも、ビード９の遮光片２１によりスペーサー１２が直接太陽光線に晒されないように遮るので横枠５，６と竪枠７，８とでスペーサー１２を覆う必要がないので、横枠５，６と竪枠７，８の室外側の見付寸法Ｌ２，Ｌ３が小さくなり、横枠と竪枠の外観が細くなって連窓１の意匠性が向上している。また、窓４の室外側から見えるビード９の色と横枠５，６と竪枠７，８の色が異なるので、連窓１の意匠性が高くなっている。また、ビード９によりスペーサー１２への太陽光線を遮りスペーサー１２の劣化を抑えている。
【００１５】
次に、窓２６の障子２５に複層ガラス２の枠体３への組付け構造を適用したものを示す。尚、前記嵌め殺し窓４と同一の部分には同一の符号を付けて説明を省略する。図４、図５は連窓１における消防侵入口としての片開き窓２６である。図４、図５に示すように上下横部材としての上、下横框２７，２８と左右竪部材としての左、右竪框２９，３０を枠組みして障子枠体３１を構成し、障子枠体３１に複層ガラス２を組み付けて障子２５が構成されている。上、下横枠３２，３３と隣接する嵌め殺し窓４の左右の竪枠７，８とを枠組みして片開き窓２６の窓枠３４としている。この窓枠３４に障子２５の一方の竪框２９が蝶番３５により取付けられ、他方の竪框３０が止め金具３６により止められ、止め金具３６を操作することで室外側に開放可能となっている。左、右竪框２９，３０は前記左、右竪枠７，８と略同様に、室内側シール材保持片１４のかかり代Ｃ２より押縁１６のかかり代Ｃ１が短く、押縁１６よりスペーサー１２の枠体開口内側面１２ａが枠体開口３ａの中心側に位置するようになっており、また、左、右縦框２９，３０と隣接する左、右縦枠間の見付寸法Ｌ４，Ｌ６が前記左、右縦枠間の見付寸法Ｌ３と略同様となるように構成されている。
【００１６】
図５に示すように、左、右竪框２７，２８への複層ガラス２の組み付けは、複層ガラス２の室外側の周縁部２ａと押縁１６間と複層ガラス２の室内側の周縁部２ｂと室内側シール材保持片１４間に夫々にシーリング材１０が充填されて行われており、押縁１６に嵌合されるビード３７は嵌合片１９と遮光片２１とからなり、ビード３７は太陽光線を遮るものとして作用する。また、上、下横框２７，２８への複層ガラス２の組み付けは、前記左，右縦枠２７，２８と複層ガラス２との取り付けと同様に、室内側は充填したシーリング材１０により、室外側はシーリング材１０と前記と同様なビード３７により行われている。この片開き窓２６の蝶番３５を設けた側の竪框３０と隣接する窓４の竪枠７間の室外側の見付寸法Ｌ４と、上、下横枠３２，３３と上、下横框２７，２８間の室外側の見付寸法Ｌ５とは、窓４の隣接する竪枠７，８間の見付寸法Ｌ３と同一となっており、また、止め金具３６を設けた側の竪框３０と隣接する竪枠８との室外側の見付寸法Ｌ６は窓４の隣接する竪枠７，８間の見付寸法Ｌ３と略同一となっており、横框２７，２８と横枠３２，３３間と竪框２９，３０と竪枠７，８の外観を細くして連窓１の意匠性を向上している。尚、上下に隣接する窓の上、下横枠を無目を介して連結または上、下横枠を連結した段窓においても同様に複層ガラスの枠体への組付け構造を採用できる。
【００１７】
次に他の実施の形態につて図６〜図８により説明する。前記実施の形態と同一の部分には同一の符号を付けて説明を省略する。図６はカーテンウォール３８の概要を示す正面図であり、カーテンウォール３８は、建物の躯体に上下方向に間隔をあけて取付けた複数の横部材としての無目３９と、左右方向に間隔をあけて取付けた複数の竪部材としての方立４０とを枠組みして枠体４１を構成し、各枠体４１に夫々複層ガラス２をシール材９，１０により組付けて構成した窓４２を隣接配置して構成されている。無目３９は、図７に示すように、基壁４３の下側に下基壁４４が一体に形成されており、基壁４３と下基壁４４の室外側には夫々押縁１６が設けられ、室内側には室内側シール材保持片１４が設けられている。方立４０は、図８に示すように、基壁４３ａに溶着した取付基部４５に押縁４６を固着し構成されており、その押縁４６にはシール材取付溝１７が形成されている。前記実施の形態と同様に押縁４６よりスペーサー１２の枠体開口内側面１２ａが枠体開口３ａの中心側に位置している。複層ガラス２の組み付けは前記実施の形態と略同様となっており、無目３９及び方立４０の室外側の見付寸法Ｌ７，Ｌ８が小さくなり外観の意匠性を向上しており、また、スペーサー１２より枠体開口３ａの中心側にビード９の遮光片２１の端面２１ａが位置することで遮光片２１の影がスペーサー１２を覆い、スペーサー１２の紫外線による劣化が抑制される。
【図面の簡単な説明】
【００１８】
【図１】本願発明の連窓の複層ガラスの枠体への組付け構造を示す正面図である。
【図２】図１のＩＩ−ＩＩ線断面図である。
【図３】図１のＩＩＩ−ＩＩＩ線断面図である。
【図４】図１のＩＶ−ＩＶ線断面図である。
【図５】図１のＶ−Ｖ線断面図である。
【図６】カーテンウォールの複層ガラスの枠体への組付け構造を示す正面図である。
【図７】図６のＶＩＩ−ＶＩＩ線断面図である。
【図８】図６のＶＩＩＩ−ＶＩＩＩ線断面図である。
【符号の説明】
【００１９】
１  連窓
２  複層ガラス
３，３１，４１  枠体
３ａ  枠体開口
４，２６  窓
５，６  横部材（横枠）
７，８  竪部材（竪枠）
９  ビード（シール材）
１０  シーリング材（シール材）
１１  単板ガラス
１２  スペーサー
１３  基壁
１４  室内側シール材保持片
１５  取付部
１６，４６  室外側シール材保持片（押縁）
１７  シール材取付溝
２７，２８  横部材（横框）
２９，３０  竪部材（竪框）
３９  横部材（無目）
４０  竪部材（方立）
４２  カーテンウォール
Ｃ１  室外側シール材保持片のかかり代
Ｃ２  室内側シール材保持片のかかり代
【図１】
2007120243.tif 000003
【図２】
2007120243.tif 000004
【図３】
2007120243.tif 000005
【図４】
2007120243.tif 000006
【図５】
2007120243.tif 000007
【図６】
2007120243.tif 000008
【図７】
2007120243.tif 000009
【図８】
2007120243.tif 000010